(57)【要約】 【課題】  本発明は、盗聴装置または盗撮カメラの感知システム及びその作動方法に関するものであり、特に盗聴装置から発生する電波に基づいて盗聴装置の存在の有無を判断し、その判断された結果値を所定の画面で出力することによって、より確実な盗聴装置の存在の有無を使用者に認知させることができるようにする、画像を利用した盗聴装置感知システム及びその作動方法を提供する。【解決手段】  本発明は所定の電波を受信する電波受信機と、盗聴装置の存在の有無をメッセージ画面及び映像画面のうち少なくともいずれか一つの画面に出力する画像警報出力部と、前記電波受信機で受信した電波に基づいて盗聴装置の存在の有無を比較判断した後に、前記画像警報出力部に出力するデータ処理部を含むことを特徴とする。【選択図】  図１
2005149460.tif 000002
【特許請求の範囲】
【請求項１】
所定の電波を受信する電波受信機と、
盗聴装置の存在の有無をメッセージ画面及び映像画面のうち少なくともいずれか一つの画面に出力する画像警報出力部と、
前記電波受信機で受信した電波に基づいて盗聴装置の存在の有無を比較判断した後に前記画像警報出力部に出力するデータ処理部を含み、
前記データ処理部は、
前記電波受信機で受信した電波を所定の処理可能な帯域に増幅させる電波増幅器と、
増幅された電波が前記盗聴装置から発生した電波に該当するか否かの可否を比較判断する比較判断部と、
比較判断の結果受信されて増幅された電波が前記盗聴装置の電波と一致する場合に前記画像警報出力部を動作させる制御部とでなされることを特徴とする画像を利用した盗聴装置感知システム。
【請求項２】
前記盗聴装置は、所定の電波を発生させる録音機、盗聴器及び盗撮カメラのうち少なくともいずれか一つであることを特徴とする請求項１に記載の画像を利用した盗聴装置感知システム。
【請求項３】
前記データ処理部には、前記盗聴装置からの該当固有電波/周波数が保存されているか、あるいは保存されることができることを特徴とする請求項１に記載の画像を利用した盗聴装置感知システム。
【請求項４】
前記画像警報出力部は、自体に内蔵されたLCD画面に出力することを特徴とする請求項１ないし３のうちいずれかひとつに記載の画像を利用した盗聴装置感知システム。
【請求項５】
所定の電波を受信する電波受信段階と、
受信された電波が盗聴装置から発生された電波と同一であるか否かの可否をデータとして処理するデータ処理段階と、
盗聴装置の存在の有無をメッセージ画面及び映像画面のうち少なくともいずれか一つの画面に出力する画像警報出力段階を含み、
前記データ処理段階は、
受信された電波を所定の処理可能な帯域に増幅させる電波増幅段階と、
増幅された電波が前記盗聴装置から発生した電波に該当するか否かの可否を比較判断する比較判断段階と、
受信されて増幅された電波が前記盗聴装置の電波と一致する場合に画像警報出力部を動作させる制御段階とでなされることを特徴とする画像を利用した盗聴装置感知システムの作動方法。
【発明の詳細な説明】
【技術分野】
【０００１】
本発明は、盗聴装置または盗撮カメラの感知システム及びその作動方法に関するものであり、特に、盗聴装置から発生する電波に基づいて盗聴装置の存在の有無を判断してその判断された結果値を画面に出力することによって、より確実な盗聴装置の存在の有無を使用者に認知させることができるようにする、画像を利用した盗聴装置感知システム及びその作動方法に関するものである。
【背景技術】
【０００２】
近来、急速な発展を成し遂げている電子文明は、各種の製品を自動化させ、現代人らの生活をさらに潤沢で便利に向上させている。しかし、便利さの中にはそれに相反して個人の私生活が、益々深刻に露出される問題が提起されている。
【０００３】
いいかえれば、録音機、盗聴器及び盗撮カメラのような盗聴装置の開発が急速化されることによって、これらを本来の開発目的として使用する場合に、希望の場所で便利に利用することができるようになった。しかし、他の一方としては、これを悪意的な目的で使用する場合が頻繁になり、個人や企業あるいは国家の機密や秘密情報が、むしろ容易に漏出されえるなどの社会的な問題にまで拡大されているのが実情である。
【０００４】
特に、昨今に入ってはインターネットを通じて情報や資料が容易に伝播できるために、個人や公人の私生活が盗聴装置に捉えられた後、非合理的で非倫理的に流布される場合、実際に該当個人が受ける被害は、実にいうことができないほどである。実際に新聞やＴＶなどの言論を通じて、本人の意思とは関係なく撮影された盗撮カメラによって、深刻な被害を受けた公人らの例に頻繁に接することができる。
【０００５】
これに、企業や国家的には重要な機密漏れを阻止するための手段として、国際的な会議場所や国家や大企業の重要施設、又、個人の私的な空間では、持続的な盗聴装置の存在の有無を周期的にチェックすることによって、このような私生活侵害によって負われるようになる情報の漏洩を源泉的に遮断している。
【０００６】
ところが、このような盗聴装置の存在可否をチェックする電波感知器は、規模が大きい大企業や国家施設で使用が可能なものであって、一般個人や中小企業でこのような電波感知器を利用して、あらゆる盗聴装置の存在の有無をチェックするということは、考えられないほど難しいのが実情である。
【０００７】
一方、既存の感知装備は、一定の電波信号が発生するとブザー音で使用者に知らせるシステムで構成されているために、感知装置が誤動作を起こす場合は、使用者の周辺に存在するあらゆる電波に反応して感知装備が動作されるので、盗聴装置が実際に存在したか否かに対する正確な判断を下すのが事実上不可能であった。
【０００８】
そして、盗撮カメラを含んだ盗聴装置が秘密に設置されているとしても、それに対する確実な有無がないために、盗聴装置に対して無防備状態にならざるをえない問題点があった。
【０００９】
特に、現在市販されている盗撮カメラ探知装備は、単純な機能の電波、すなわち普段周辺に存在している電波の強さを判断した後に、それと比較して相対的に強い電波信号が発生するとブザー音で使用者に知らせる、電波量で判断する単純な装備があるだけである。
【００１０】
したがって、携帯電話や他の電波を発生する機器が作動されたにもかかわらず、盗撮カメラ探知装備が稼動されてブザー音を発生させていることから、実際に盗聴装置感知システムとしての信頼性が落ちざるをえない。
【００１１】
これに対し、本発明者は、盗聴装置から発生する電波に基づいて盗聴装置の存在の有無を判断することは既存に出願したものと似ているが、結果値を単純なブザー音でなく画面に出力することによって、より確実な盗聴装置の存在の有無を使用者に認知させることができるだけでなく、盗聴装置の設置位置までもが追跡可能な盗聴装置感知システムを提案するに至った。
【発明の開示】
【発明が解決しようとする課題】
【００１２】
本発明は、このような問題点を解消するために案出されたものであり、盗聴装置から発生する電波に基づいて盗聴装置の存在の有無を判断して、判断された結果値を画面に出力することによって、より確実な盗聴装置の存在の有無を使用者に認知させることができるようにし、場合によっては盗聴装置の設置位置までもが追跡可能な、画像を利用した盗聴装置感知システムを提供することが主な目的である。
【００１３】
本発明の他の目的は、簡単な構成で比較的に安くてコンパクトにすることによって、一般個人だけでなく小規模の事業主らも簡単に使用することができる、画像を利用した盗聴装置感知システム及びその作動方法を提供することである。
【課題を解決するための手段】
【００１４】
前記した目的を達成するための本発明は、所定の電波を受信する電波受信機と、盗聴装置の存在の有無をメッセージ画面及び映像画面のうち少なくともいずれか一つの画面に出力する画像警報出力部と、前記電波受信機で受信した電波に基づいて盗聴装置の存在の有無を比較判断した後に、前記画像警報出力部に出力するデータ処理部を含むことを特徴とする。
【００１５】
また、本発明は、所定の電波を受信する電波受信段階と、受信された電波が盗聴装置から発生された電波と同一であるかの可否をデータとして処理するデータ処理段階と、盗聴装置の存在の有無をメッセージ画面及び映像画面のうち少なくともいずれか一つの画面に出力する画像警報出力段階を含むことを特徴とする。
【００１６】
以上のような本発明の目的と別の特徴及び長所などは次に参照する本発明の好適な実施例に対する以下の説明から明確になるであろう。
【発明を実施するための最良の形態】
【００１７】
以下、本発明の望ましい実施例について詳細に説明する。本発明による盗聴装置感知システムは、盗聴装置１０から発生する電波に基づいて盗聴装置１０の存在の有無を判断して、判断された結果値を自体に内蔵されたＬＣＤ画面に出力するように構成される。それで、これを通じてより確実な盗聴装置１０の存在の有無を使用者に認知させることができるようにして、その信頼性を高めるようになる。
【００１８】
そして、盗聴装置１０が存在した場合は、必要に応じてその位置が画面に出力されるようにして、盗聴装置１０の設置位置までも追跡が可能なように構成するようになる。
【００１９】
このような盗聴装置感知システムは、図１に図示されたように、電波受信機２０と、画像警報出力部３０と、電波受信機２０で受信した電波に基づいて盗聴装置１０の存在の有無を比較判断した後、画像警報出力部３０に出力するデータ処理部４０を含む。
【００２０】
電波受信機２０というのは、通例的に中波の国内放送と短波の外国放送との両方を受信することができるＡＭラジオ受信機を指す。しかし、最近の受信機は、短波も受信できるということが特別な意味を持たないために、電波受信機２０とはいわずに、受信が可能な周波数の帯域数を２バンド、１１バンド等で表示するようになった。
【００２１】
また、ＡＭだけでなくＦＭも受信可能な受信機が多くなっている。ただし、テレビ受信機ではＶＨＦ帯とＵＨＦ帯の両側を受信することができることをオールチャンネル受信機といって一般的なものと区別しているが、本発明ではこれらをすべて電波受信機２０と呼んでいる。
【００２２】
このような電波受信機２０は、会議場所や施設、あるいは個人の私的な空間等に設置されるか、あるいは携帯して移動させることによって持続的に電波を受信するようになる。もちろん、受信された電波のうちには通常の周辺家電機器や通信機器から受信された電波も存在するものであり、盗聴装置１０があるならば盗聴装置１０からの電波も受信されることができ、受信された電波はデータ処理部４０により処理される。
【００２３】
ここで、盗聴装置１０というのは、所定の電波を発生させる録音機、盗聴器及び盗撮カメラのうち少なくともいずれか一つを含む。通例的にみれば録音機の場合には別の電波を発生させないものとなっているが、広い意味で盗聴装置１０に含ませるようにする。
【００２４】
データ処理部４０は、電波受信機２０で受信した電波を所定の処理可能な帯域に増幅させる電波増幅器４１と、増幅された電波が盗聴装置１０から発生した電波に該当するか否かの可否を比較判断する比較判断部４２と、比較判断の結果受信されて増幅された電波が盗聴装置１０の電波と一致する場合に画像警報出力部３０を動作させる制御部４３を有する。
【００２５】
この時、制御部４３により画像警報出力部３０に出力される警報の形態は、盗聴装置１０の有無によるメッセージ画面及び映像画面のうち少なくともいずれか一つの画面である。もちろん、使用者の周囲に盗聴装置１０が無ければ無映像画面として残るようになる。
【００２６】
画像警報出力部３０というのは、本発明の盗聴装置感知システムが持っている自体のＬＣＤ画面（ディスプレー部）が望ましく使われる。この時、制御部４３と画像警報出力部３０は有線で連結され、したがって、その信号は直ちに画面に出力されることができる。
【００２７】
以下では図２を参照して本盗聴装置感知システムを作動させる方法を説明する。
まず、電波受信機２０を望みの場所に配置するか、あるいは持って歩きながら望みの場所で発生可能な電波を受信する（Ｓ１１）。もしも、後者のように使用者が直接持って歩きながら電波を受信するならば一つの電波受信機２０のみでも充分であるが、望みのいろいろな所に配置することを願うならば少なくとも２ケ以上の電波受信機２０を使用しなければならない。
【００２８】
電波受信機２０に所定の電波が受信されれば、データ処理部４０は受信された電波が盗聴装置１０から発生された電波と同一であるか否かの可否をデータとして処理する。すなわち、受信された電波を所定の処理可能な帯域で増幅させた後（Ｓ１２）、増幅された電波が盗聴装置１０から発生した電波に該当しているかを比較判断する（Ｓ１３）。
【００２９】
受信されて増幅された電波が盗聴装置１０の電波と一致する場合（Ｓ１４)、画像警報出力部３０を動作させるようになる（Ｓ１５）。このような動作のためにデータ処理部４０には、盗聴装置１０からの該当固有電波／周波数が保存されていなければならない。
【００３０】
もしも、既存に市場に発表されている盗聴装置１０ならば該当固有電波/周波数をデータ処理部４０に入力させるようになる。しかし、新しい盗聴装置１０である場合には該当固有電波／周波数を解読し周波数をメモリーさせることできる。
【００３１】
結局、本感知システムでデータ処理部４０は、既存にセッティングされた電波／周波数を容易に調整するか、あるいは再セッティングさせることができる機能を有している。すなわち、広範囲な電波／周波数を使用者が選定して検索できる専用プログラミングを含んでいるものである。
【００３２】
結果的に、比較判断部４２で判断して、制御部４３が盗聴装置１０の有無を最終的に確認して、画像警報出力部３０を出力させると、盗聴装置１０の存在の有無に対する出力情報がシステムに内蔵されているＬＣＤ画面（ディスプレー部）を通じて、メッセージまたは映像のうちいずれか一つで表現される。
【００３３】
したがって、使用者は画面を確認することによって、自身の周辺に盗聴装置１０の有無を、より明確で信頼性があるように把握できて、今後の状況に対処するのが容易になる。
【００３４】
もしも、Ｓ１４段階で比較判断された電波が盗聴装置１０のものでない場合ならば画面は無映像で現れる。
【００３５】
このように、本発明によると、盗聴装置１０の存在の有無を使用者が望みの時期にいつでも便利にチェックできるだけでなく、盗聴装置１０の存在の有無を常にチェックできるので安全な保安環境を持続的に維持できる効果があるだけでなく、盗聴装置１０の設置位置までも解かることができて、状況に対処することができるので非常に有益である。
【００３６】
本発明のシステムはコンパクト化が可能であり、それによって一般個人や中小企業人らに至るまで多様な階層で安い値段で、場所にかかわらず簡便に使用することができる。
【００３７】
以上説明したように、本発明によると、盗聴装置から発生する電波に基づいて盗聴装置の存在の有無を判断して、判断された結果値を所定の画面に出力することによって、より確実な盗聴装置の存在の有無を使用者に認知させることができるだけでなく、場合によっては盗聴装置の設置位置までも追跡が可能な盗聴装置感知システム及びその作動方法が提供される。
【００３８】
以上では、本発明を実施例によって詳細に説明したが、本発明は実施例によって限定されず、本発明が属する技術分野において通常の知識を有するものであれば本発明の思想と精神を離れることなく、本発明を修正または変更できるであろう。
【図面の簡単な説明】
【００３９】
【図１】発明による盗聴装置感知システムに対する概略的なブロック図である。
【図２】図１のシステムを通じて盗聴装置を感知する作動方法を示した順序図である。
【符号の説明】
【００４０】
１０  盗聴装置
２０  電波受信機
３０  画像警報出力部
４０  データ処理部
４１  電波増幅器
４２  比較判断部
４３  制御部
【図１】
2005149460.tif 000003
【図２】
2005149460.tif 000004